(57)【要約】【課題】  親機と無線通信を行える副親機を活用することにより、セキュリティ機能を付加して、テレビドアホンシステムの付加価値を高める。【解決手段】  屋内に監視カメラ２１を設置し、監視カメラ２１と持ち運び可能な副親機２０とは無線通信可能とする。副親機２０の起動スイッチ３０の操作により、監視カメラ２１は起動する。監視カメラ２１が撮影した映像は、副親機２０に送信され、モニタ２７に表示される。副親機２０のトグルスイッチ３１の操作により、監視カメラ２１のパンチルト機構２２が作動して、カメラ部２３の向きが変わる。【選択図】  図１
2005101881.tif 000002
【特許請求の範囲】
【請求項１】
屋外に設置されたカメラ付き屋外子機と、屋内に設置され前記屋外子機と接続されたモニタ付き屋内親機と、該屋内親機と無線通信を行うモニタ付き副親機とを備えたテレビドアホンシステムにおいて、屋内に設置された監視カメラが設けられ、持ち運び可能とされた前記副親機は、前記監視カメラと無線通信可能とされ、前記副親機のモニタには、前記副親機が屋内にあるときは、前記屋外子機からの映像が表示され、屋外にあるときは、前記監視カメラからの映像が表示されることを特徴とするテレビドアホンシステム。
【請求項２】
屋外に設置されたカメラ付き屋外子機と、屋内に設置され前記屋外子機と接続されたモニタ付き屋内親機と、該屋内親機と無線通信を行うモニタ付き副親機とを備えたテレビドアホンシステムにおいて、屋内に設置された監視カメラが設けられ、該監視カメラと持ち運び可能とされた前記副親機とは無線通信可能とされ、前記監視カメラは、前記副親機によって遠隔操作され、前記副親機は、前記監視カメラからの映像をモニタに表示することを特徴とするテレビドアホンシステム。
【請求項３】
監視カメラは、常時電源オンとされ、副親機からの操作信号の待ち受け状態にあることを特徴とする請求項１または２記載のテレビドアホンシステム。
【請求項４】
監視カメラは、電源プラグを備え、該電源プラグがコンセントに差し込まれることにより、前記監視カメラが前記コンセントに直接固定されることを特徴とする請求項１〜３のいずれかに記載のテレビドアホンシステム。
【請求項５】
監視カメラは、パンチルト機構を有し、副親機は、パンチルト機構を制御して、前記監視カメラの撮影範囲を可変することを特徴とする請求項１または２記載のテレビドアホンシステム。
【請求項６】
監視カメラは、照明器を有し、該照明器は、副親機からの操作信号により点灯されることを特徴とする請求項１または２記載のテレビドアホンシステム。
【請求項７】
副親機は、電池駆動され、前記副親機の持ち運び時において、監視カメラを起動するときに電力消費が開始されることを特徴とする請求項１〜６のいずれかに記載のテレビドアホンシステム。
【請求項８】
副親機は、監視カメラから送信された映像を保存する記憶部を有することを特徴とする請求項１〜６のいずれかに記載のテレビドアホンシステム。
【発明の詳細な説明】
【技術分野】
【０００１】
本発明は、カメラ付き屋外子機と、モニタ付き屋内親機と、屋内親機と無線通信を行うモニタ付き副親機から構成されたテレビドアホンシステムに関する。
【背景技術】
【０００２】
一般的にテレビドアホンシステムでは、屋内の親機と屋外の子機間での映像片方向、音声双方向の通信が基本である。屋内の親機とは別に親機が複数台存在する、いわゆる副親機が存在することがある。副親機と子機間においても、親機を介して映像片方向、音声双方向の通信が行われる。副親機は、システム内において複数台設置でき、親機と各副親機間は有線伝送方式である。
【０００３】
有線伝送方式の場合、親機と副親機間での配線工事が必要となる。新築住宅の場合、施工時から隠蔽配線が可能であり、美観を損ねることはない。既築住宅の場合、後から副親機を増設したい場合には、隠蔽配線は不可能であり、屋内の美観を損ねてしまう。
【０００４】
そこで、特許文献１にあるように、親機と副親機とが無線通信可能とされた無線式のテレビドアホンシステムが提案されている。これによって、増設時の配線工事が不要となる。このシステムを図  に示す。１は屋外子機、２は呼び出しボタン、３はカメラ、４は一対のインターホン線、５は屋内親機、６はＬＣＤ等のモニタ、７は応答ボタン、８はアンテナ、９は副親機、１０はアンテナ、１１はＬＣＤ等のモニタである。親機５および副親機９は、屋内のコンセントからＡＣ１００Ｖの電源を供給される。
【特許文献１】特開平２０００−２２４３１６号公報
【発明の開示】
【発明が解決しようとする課題】
【０００５】
副親機を無線通信可能とすることにより、副親機を屋内のいずれの場所でも設置することができる。そして、設置場所を固定された親機と同様、副親機においても、来訪者の映像を確認しながら、双方向で通話ができる。しかし、有線式の副親機と異なり、無線式の副親機の場合には、配線工事が不要かつ設置場所を固定する必要がない等の特徴はあるが、高価で単機能のため、普及させるのに問題がある。
【０００６】
このような無線式テレビドアホンシステムの利用価値を高めるためには、単に来訪者が来たときだけ、この無線式の副親機を使用するのでなく、新たな機能を付加して、他の用途にも使用できることが望まれる。
【０００７】
例えば、外出先から帰宅時、不測の事態に備えて、家に入る前に家の中の状況を知りたいというニーズがある。単身住まいの女性やお年寄りには、特にそのニーズは高い。
【０００８】
現在これらを実現する手段としては、帰宅前に、屋内の照明装置を点灯させるもの、外出先から窓等の侵入センサの動作状況を携帯電話で確認するといった機能のものは出現している。しかし、屋内の状態をリアルタイム映像で確認するためには、監視カメラを屋内に設置して、インターネット、ＬＡＮ等の通信回線に接続し、屋外のモニタに表示できるようにしなければならない。このようなセキュリティシステムは高価なものであり、たやすく導入できるものではない。
【０００９】
そこで、本発明は、上記に鑑み、セキュリティ目的として用途拡大を図るために、持ち運び可能な無線式の副親機を活用したテレビドアホンシステムの提供を目的とする。
【課題を解決するための手段】
【００１０】
本発明は、屋外に設置されたカメラ付き屋外子機と、屋内に設置され前記屋外子機と接続されたモニタ付き屋内親機と、該屋内親機と無線通信を行って双方向に映像と音声を伝送するモニタ付き副親機と、屋内に設置された監視カメラとを備えたものである。
【００１１】
持ち運び可能とされた副親機は、監視カメラと無線通信可能とされ、副親機のモニタには、副親機が屋内にあるときは、屋外子機のカメラからの映像が表示され、屋外にあるときは、監視カメラからの映像が表示される。
【００１２】
副親機を屋外に持ち出しても、監視カメラを通じて屋内の様子を確認できる。そのため、帰宅時等のように屋外にいるときに、事前に屋内の状況を把握することによって、異常の有無を確認できる。このように、テレビドアホンシステムに本来のテレビドアホン機能の他にセキュリティ機能を付加できる。
【００１３】
監視カメラは、副親機によって遠隔操作されるものとする。すなわち、副親機は、起動、撮影、停止等の各動作を実行させるための操作信号を送信する。そのためには、監視カメラは、常時電源オンとされ、副親機からの操作信号の待ち受け状態にある。副親機から起動信号が送信されると、監視カメラは、この起動信号を受信する。そして、監視カメラは、起動して、撮影を開始し、映像信号を副親機に送信する。
【００１４】
なお、監視カメラは、起動してから撮影を開始する代わりに、常時撮影を行っていてもよい。この場合、監視カメラはすでに起動しているので、副親機からの操作信号により、映像信号を送信することになる。
【００１５】
監視カメラが待ち受け状態あるいは起動状態にあると、電源の電力消費が多くなる。そこで、監視カメラは、商用の交流電源を利用する。監視カメラの電源プラグをコンセントに差し込むことにより、電源が供給される。
【００１６】
そして、この電源プラグを監視カメラに一体的に設ける。電源プラグがコンセントに差し込まれることにより、監視カメラがコンセントに直接固定される。したがって、コンセントがあれば、そこに監視カメラを設置できるので、取り付けが容易となり、配線作業や取付作業が不要となる。
【００１７】
一方、副親機は、携帯性を考慮して、電池駆動される。電池は、一次電池、二次電池、太陽電池いずれであってもよい。そして、副親機の持ち運び時において、監視カメラを起動するときに電力消費が開始されるようにする。すなわち、副親機を常時動作させるのではなく、必要なときにのみ動作させる。これによって、電力消費を低減でき、電池の寿命が延びるので、副親機は長時間使用可能となる。
【００１８】
副親機は、監視カメラから送信された映像を保存する記憶部を有する。必要な映像を録画することができ、後に録画した映像を利用できる。
【００１９】
また、監視カメラは、パンチルト機構を有する。副親機は、パンチルト機構を制御して、監視カメラの撮影範囲を可変する。屋内を広範囲にわたって撮影可能となり、目標の被写体を確実に捕えることができる。監視カメラのパンチルト動作を行うことにより、監視カメラの設置場所による撮影範囲の制約を排除できる。例えば、監視カメラが床面近くの低い場所に設置されている場合、斜め上方向を撮影できるようにパンチルト動作させることにより、屋内の下方だけでなく上方にも撮影範囲が広がる。したがって、監視カメラをコンセントに固定するとき、低い位置にあるコンセントを使用する場合において、パンチルト動作が可能であることは好都合となる。
【００２０】
監視カメラは、照明器を有する。屋内が暗くて撮影が困難な場合に、照明することによって撮影が可能となる。副親機のモニタに映し出された映像を見て、視認できないようなときに、副親機からの操作信号により、照明器は点灯される。あるいは、監視カメラが起動したとき、内蔵された光センサにより明暗を検出して、自動的に照明のオンオフを制御してもよい。
【発明の効果】
【００２１】
本発明によると、屋内に監視カメラを設置するだけで、持ち運び可能かつ無線通信可能な副親機を利用して、監視カメラによって撮影された映像を表示することにより、屋内の状況を監視できる。したがって、屋外に副親機を持ち出して、屋内の状況を確認するといった使用をすれば、セキュリティとしての用途が成り立つ。
【００２２】
このように、通常のテレビドアホンの機能以外にセキュリティ機能が加わり、大幅なコストアップすることなく、付加価値の高いテレビドアホンシステムを実現できる。
【発明を実施するための最良の形態】
【００２３】
本実施形態のテレビドアホンシステムを図１に示す。本テレビドアホンシステムは、屋外に設置されたカメラ付き屋外子機１と、屋内に設置されたモニタ付き屋内親機５と、屋内親機５と無線通信を行うモニタ付き副親機２０とを備える。このように基本的な構成は、従来の図４に示したものと同じであるが、さらに屋内に設置された監視カメラ２１を備えている。なお、副親機２０は、１台しか図示していないが、複数台であってもよい。
【００２４】
屋外子機１と屋内親機５とは、インターホン線４によって接続され、屋外子機１のカメラ３が撮影した映像信号が屋内親機５に送信され、音声信号が双方向に通信される。屋内親機５と副親機２０とは、無線通信可能とされ、映像信号および音声信号が双方向に通信される。これらの機能は、例えば特許文献１の段落００１０〜００１４に記載されているように公知の技術であるので、詳細な説明は省略する。
【００２５】
副親機２０と監視カメラ２１とは、無線通信可能とされ、監視カメラ２１から映像信号が副親機２０に送信され、副親機２０から操作信号が監視カメラ２１に送信される。ここでの無線通信方式としては、ＳＳ（スペクトル拡散方式）等の特定小電力無線あるいはブルートゥース、その中でもクラス１等を使用する。なお、副親機２０と監視カメラ２１との無線通信方式は、屋内親機５と副親機２０との無線通信方式と異なっていてもよいが、同じ方式にしておけば、屋内親機５と監視カメラ２１とは無線通信可能となり、屋内親機５からでも監視カメラ２１を操作でき、その映像を表示できる。
【００２６】
監視カメラ２１は、公知のパンチルト機構２２を有しており、白黒あるいはカラーのＣＣＤカメラからなるカメラ部２３が上下、左右に向きを変える。そして、監視カメラ２１は、副親機２０からの操作信号によって起動、撮影、パンチルト、通信等の動作を行う。
【００２７】
副親機２０は、図２に示すように、アンテナ２４を通じて監視カメラ２１と無線通信を行う無線送受信部２５、圧縮されたデジタルの映像信号を伸長する映像処理部２６、ＬＣＤからなるモニタ２７、映像信号に基づいてモニタ２７を駆動するモニタコントローラ部２８、録画用のフラッシュメモリ、ハードディスク等の記憶部２９、監視カメラ２１を起動するための起動スイッチ３０、パンチルト動作のためのトグルスイッチ３１、監視カメラ２１からの映像を保存するときの録画スイッチ３２、ＣＰＵからなる制御部３３、電源となる充電式の電池３４を有する。これらがキャビネットに一体的に設けられることにより、副親機２０は持ち運び可能となる。
【００２８】
監視カメラ２１は、図３に示すように、アンテナ３５を通じて副親機２０と無線通信を行う無線送受信部３６、カメラ部２３からのデジタルの映像信号を圧縮する映像処理部３７、パンチルト機構２２を駆動制御するパンチルト制御回路部３８、ＣＰＵからなる制御部３９、電源プラグ４０からの交流電源を直流電源に変換して各部に供給する電源回路部４１を有する。
【００２９】
監視カメラ２１から電源プラグ４０が直接突設され、電源プラグ４０がコンセント４２に差し込まれることによって、監視カメラ２１は屋内の壁あるいは天井に直接固定される。したがって、コンセント４２のある場所に監視カメラ２１を設置でき、取付工事は必要なく、取付用のアダプタも不要となる。
【００３０】
次に、テレビドアホンシステムにおける動作を説明する。屋外子機１の呼び出しボタン２を来訪者が押すと、インターホン線４を経由して、屋内親機５にカメラ３によって撮影された映像信号が伝送され、モニタ６に来訪者の画像が映る。屋内親機５の応答ボタン７を押すと、屋外子機１と屋内親機５間にて、双方向に音声信号が伝送され、お互いに通話できる。
【００３１】
また、屋内親機５と副親機９は無線通信を行って、映像信号が屋内親機５から副親機２０に送信され、音声信号が双方向に通信される。屋外子機１からの呼び出し時には、来訪者の画像が屋内親機５のモニタ６だけでなく、副親機２０のモニタ２７にも表示される。
【００３２】
以上が、副親機２０が屋内にある場合のテレビドアホンの基本機能である。副親機２０を屋外に持ち出した場合、監視カメラ２１からの映像を副親機２０に表示することにより、屋内を監視でき、セキュリティ用途としての付加機能を実現できる。
【００３３】
すなわち、屋外において、副親機２０の起動スイッチ３０を押すことにより、電池３４からの電源が供給されて、副親機２０内に電流が流れて、動作を開始する。制御部３３は、無線送受信部２５を駆動して、起動信号を監視カメラ２１に送信する。
【００３４】
監視カメラ２１では、常時電源がオンしており、外部からの信号の待ち受け状態にある。無線送受信部３６によって起動信号を受信し、制御部３９がこれを検知すると、カメラ部２３を起動する。起動されたカメラ部２３からのデジタルの映像信号は、映像処理部３７によって圧縮され、無線送受信部３６より送信される。
【００３５】
副親機２０では、無線送受信部２５によってこの映像信号を受信する。受信されたデジタルの映像信号は、映像処理部２６によって伸長され、モニタコントローラ部２８を経由して直接モニタ２７に供給され、監視カメラ２１からの映像が表示される。
【００３６】
したがって、屋外において、副親機２０により屋内の様子を確認することができる。万が一、屋内に侵入者がいたり、屋内が荒らされていたりといった異常があることを事前に察知でき、警察等に通報するといった対策を採ることができる。そのため、帰宅時、屋内の様子を確認することによって、安心して家に入ることができる。
【００３７】
ここで、必要に応じて副親機２０の録画スイッチ３２を押すことにより、監視カメラ２１からの映像を記憶部２９に録画できる。異常があったときの証拠映像として保存することができる。
【００３８】
監視カメラ２１による撮影範囲を変えたい場合、副親機２０のトグルスイッチ３１を操作する。制御部３３は、無線送受信部２５を駆動して、トグルスイッチ３１からの入力に応じた伝送コードに基づくパンチルト制御信号を送信する。
【００３９】
監視カメラ２１では、パンチルト制御信号を受信すると、制御部３９は、パンチルト制御回路部３８を駆動して、パンチルト制御信号にしたがってパンチルト機構２２を動作させる。カメラ部２３は、上下左右に向きを変える。この向きの調整は、副親機２０のモニタ２７に映し出された映像を見ながら行える。このように、カメラ部２３を上下左右に向きを変えることができ、屋内を広範囲に亘って監視することができる。
【００４０】
ところで、コンセント４２は、一般的に壁の低い位置にあることが多く、必然的に監視カメラ２１は低い位置に設置される。しかし、カメラ部２３をパンチルト動作させることにより、撮影範囲の制約を除去でき、十分に監視カメラ２１としての機能を発揮させることができる。また、監視カメラ２１が高い位置に設置されていれば、パンチルト動作によって屋内を隈なく撮影できる。
【００４１】
また、夜間に監視カメラ２１を動作させる場合、あるいは暗い場所に監視カメラ２１を設置した場合、屋内に取り付けられた照明装置を遠隔操作によって点灯させるとよい。あるいは、監視カメラ２１に白色ＬＥＤ等の照明器を設け、副親機２０からの操作信号によって点灯、消灯を制御してもよい。屋内が暗い状況にあっても、確実に屋内を監視することが可能となる。なお、監視カメラ２１に赤外線カメラを使用すれば、照明器を設けなくてよく、さらに昼夜切替式のカメラにすれば、昼夜を問わず１台の監視カメラ２１によって良好に撮影できる。
【００４２】
副親機２０を屋外に持ち出さなくても、屋内において監視カメラ２１を操作してもよい。屋内に乳幼児、老人、ペット等がいる場合、監視カメラ２１によって撮影することにより、離れた場所にいても、その様子を監視することができる。そして、副親機２０が屋内にあるとき、副親機２０を充電器に接続することにより、電池の充電が行われる。
【００４３】
なお、本発明は、上記実施形態に限定されるものではなく、本発明の範囲内で上記実施形態に多くの修正および変更を加え得ることは勿論である。監視カメラは、ズームやフォーカス動作可能とし、副親機からの操作信号によってこれらの動作を制御する。また、監視カメラは１箇所に設置するだけでなく、複数の箇所に設置してもよい。副親機は、各監視カメラを個別に操作可能とし、各監視カメラの映像を切り替えて表示するか、あるいはモニタをマルチ画面にして一括して表示する。
【図面の簡単な説明】
【００４４】
【図１】本発明のテレビドアホンシステムの全体構成図
【図２】副親機の概略構成を示すブロック図
【図３】監視カメラの概略構成を示すブロック図
【図４】従来のテレビドアホンシステムの全体構成図
【符号の説明】
【００４５】
１    屋外子機
５    屋内親機
２０    副親機
２１    監視カメラ
２２    パンチルト機構
２３    カメラ部
２７    モニタ
２９    記憶部
３０    起動スイッチ
３１    トグルスイッチ
３２    録画スイッチ
３４    電池
４１    電源プラグ
４２    コンセント
【図１】
2005101881.tif 000003
【図２】
2005101881.tif 000004
【図３】
2005101881.tif 000005
【図４】
2005101881.tif 000006